(57)【要約】      （修正有）【課題】電動機により調節可能な部分を持つ椅子において、取付けを安価にかつ短時間に行うことができるようにする。【解決手段】接続ケーブル１３が電動機−伝動装置単位体を包囲するハウジングから引出され、管片１０に沿って電動機−伝動装置単位体から取付け具１２まで敷設されて固定され、かつ取付け具１２から出ており、これから出る接続ケーブル１３の端部が接続プラグ１４を持っている。【選択図】図１
2013184053.tif 000002
【特許請求の範囲】
【請求項１】
電動機により調節可能な部分即ち少なくとも１つの座部分（２）及び／又は背部分（１）及び／又は足支え（４）と電動操作器（７）とを持つ椅子（１）であって、椅子（１）が本体（５）及びそれに取付けられる枠部分（６）を持ち、この枠部分（６）に調節可能な部分の調節機構の部分が枢着されるか又は取付けられ、電動操作器（７）が椅子（１）の構成部分に取り付けられ、電動操作器（７）が調節機構の部分に連結され、かつ伝動装置（９）を持つ駆動電動機（８）と電動機−伝動装置単位体（８，９）から突出する管片（１０）とを持ち、伝動装置（９）に伝動結合する駆動素子特に駆動軸が、管片（１０）内に覆われて設けられ、この管片（１０）の外被上に案内される調節往復片（１１）が、駆動素子により管片（１０）の長手方向に調節可能であり、かつ駆動素子及び調節機構の部分に連結され、電動機−伝動装置単位体（８，９）が、足支え（４）に近い方にある座部分（２）の前端部の下に位置せしめられ、かつ椅子部分に取付けられ、電動機−伝動装置単位体（８，９）から遠い方にある管片（１０）の端部に、椅子部分に取付けるための取付け具（１２）が設けられ、この取付け具（１２）が背部分（３）に近い方にある座部分（２）の後端部の下に設けられ、駆動電動機（８）に電気接続ケーブル（１３）が接続され、この接続ケーブル（１３）が電源に接続するため外部の接続プラグ（１４）を備えているものにおいて、接続ケーブル（１３）が電動機−伝動装置単位体（８，９）を包囲するハウジングから引出され、管片（１０）に沿って電動機−伝動装置単位体（８，９）から取付け具（１２）まで敷設されて固定され、かつ取付け具（１２）から出ており、これから出る接続ケーブル（１３）の端部が接続プラグ（１４）を持っていることを特徴とする、椅子。
【請求項２】
接続ケーブル（１３）が管片（１０）内に案内され、かつこれに固定されていることを特徴とする、請求項１に記載の椅子。
【請求項３】
接続ケーブル（１３）が管片（１０）外に案内され、かつこれに固定され、案内部及び固定部が管片（１０）と共に間隙を形成し、この間隙内で調節往復片（１１）が自由に移動可能であることを特徴とする、請求項１に記載の椅子。
【請求項４】
接続ケーブル（１３）が、これに寸法を合わされるケーブル通路内に案内され、ケーブル通路が管片（１０）又は電動機−伝動装置単位体（８，９）及び取付け具（１２）に固定されていることを特徴とする、請求項１〜３の１つに記載の椅子。
【請求項５】
駆動電動機（８）が直流電動機として構成されていることを特徴とする、請求項１〜４の１つに記載の椅子。
【請求項６】
操作器（７）が外部へ取出される接続ケーブル（１３）を持つ箱入り電動機−伝動装置単位体（８，９）を持ち、駆動素子特に接続された管片（１２）内に設けられている駆動軸が、電動機−伝動装置単位体（８，９）から突出して、管片（１０）上に案内される調節往復片（１１）に係合し、操作器に取付け手段が設けられ、操作器が遠い方にある管片（１０）の端部に、椅子部分に取付けるための取付け手段を持つ取付け具（１２）が設けられ、調節往復片（１１）が椅子（１）の調節機構の部分に連結するための連結手段を持っているものにおいて、接続ケーブル（１３）が電動機−伝動装置単位体（８，９）から取付け具（１２）へ管片（１０）に沿って敷設されかつ固定され、取付け具（１２）から出る端部が接続プラグ（１４）を持っていることを特徴とする、請求項１〜５の１つに記載の椅子用操作器。
【請求項７】
接続ケーブル（１３）が管片（１０）内に案内されてこれに固定されていることを特徴とする、請求項６に記載の操作器。
【請求項８】
接続ケーブル（１３）が管片（１０）外に案内されてこれに固定され、案内部及び固定部が管片（１０）と共に間隙を形成し、この間隙内で調節往復片（１１）の部分が自由に移動可能であることを特徴とする、請求項６に記載の操作器。
【請求項９】
接続ケーブル（１３）がこれに寸法を合わされたケーブル通路内に案内され、ケーブル通路が管片（１０）又は電動機−伝動装置単位体（８，９）及び／又は取付け具（１２）に固定されていることを特徴とする、請求項６〜８の１つに記載の操作器。
【請求項１０】
駆動電動機（８）が直流電動機として構成されていることを特徴とする、請求項６〜９の１つに記載の操作器。
【請求項１１】
駆動電動機（８）又はこれを包囲するハウジングに、その外側から差込み過程又は接触過程のため接近可能なブシュが設けられて、電動機接続ケーブルに固定的に接続され、接続ケーブル（１３）が適当な接続部分をブシュに電気的又は機械的に結合可能であることを特徴とする、請求項１〜１０に記載の椅子又は操作器。
【発明の詳細な説明】
【技術分野】
【０００１】  本発明は、電動機により調節可能な部分即ち少なくとも１つの座部分及び／又は背部分及び／又は足支えと電動操作器とを持つ椅子であって、椅子が本体及びそれに取付けられる枠部分を持ち、この枠部分に調節可能な部分の調節機構の部分が枢着されるか又は取付けられ、電動操作器が椅子の構成部分に取り付けられ、電動操作器が調節機構の部分に連結され、かつ伝動装置を持つ駆動電動機と電動機−伝動装置単位体から突出する管片とを持ち、伝動装置に伝動結合する駆動素子特に駆動軸が、管片内に覆われて設けられ、この管片の外被上に案内される調節往復片が、駆動素子により管片の長手方向に調節可能であり、かつ駆動素子及び調節機構の部分に連結され、電動機−伝動装置単位体が、足支えに近い方にある座部分の前端部の下に位置せしめられ、かつ椅子部分に取付けられ、電動機−伝動装置単位体から遠い方にある管片の端部に、椅子部分に取付けるための取付け具が設けられ、この取付け具が背部分に近い方にある座部分の後端部の下に設けられ、駆動電動機に電気接続ケーブルが接続され、この接続ケーブルが電源に接続するため外部の接続プラグを備えているものに関する。
【背景技術】
【０００２】  このような椅子は従来技術において種々公知である。このような椅子では、本体の側方部分の間に、調節可能な素子、例えば傾斜を調節可能にかつ長手方向移動可能に設けることができる座部分、傾斜を調節可能にかつ高さを調節可能にも設けることができる背部分、１つの部分又は複数部分から構成可能で異なる位置へ揺動可能な足支えが設けられている。この運動可能性を電動機で実現するため、椅子は本体の側壁の間に取付けられる枠部分に取付けられる電動機−伝動装置単位体の形の駆動素子を持ち、この単位体から突出する管片内に、駆動手段例えばねじ軸が回転可能に保持されている。ねじ軸は調節往復片を駆動し、従って調節往復片を管片に沿って椅子の方向に前方又は後方へ移動可能である。この調節往復片に調節機構の部分例えば調節レバーが枢着されるか又は固定され、それにより椅子の可動素子の運動を行うことができる。従来多くの使用において、電動機−伝動装置単位体が座部分の前端部の下に置かれて、枠部分に固定され、従ってそこにあってねじ軸及び調節往復片を持つ管片が椅子の後側の方へ突出するように、取付けが行われる。普通の構造様式では、電動機の給電に用いられる導入ケーブルは、電動機−伝動装置単位体を包囲するハウジングから、電動機の近くで引出される。導入ケーブルは比較的長いので、椅子の座部分の下で後方へ敷設することができる。その場合そこに導入ケーブル用出口が設けられて、例えば電源及び／又は有線遠隔操作装置に接続することができる。椅子輪郭内における導入ケーブルの敷設は比較的費用がかかり、特に時間がかかる。しかし多くの使用分野において、電動機が足支えの範囲に設けられ、従ってケーブル出口もそこに設けられているように、取付けが行われる。これは取付け技術的に費用がかかり、比較的高い取付け費を伴う。
【発明の概要】
【発明が解決しようとする課題】
【０００３】  この従来技術から出発して、本発明の基礎になっている課題は、取付けを安価に短時間に行うことができる椅子を提供することである。
【課題を解決するための手段】
【０００４】  この課題を解決するため本発明は、接続ケーブルが電動機−伝動装置単位体を包囲するハウジングから引出され、管片に沿って電動機−伝動装置単位体から取付け具まで敷設されて固定され、かつ取付け具から出ており、これから出る接続ケーブルの端部が接続プラグを持っていることを提案する。【０００５】  これにより駆動装置全体を従来のように組込むことができるので、電動機−伝動装置単位体が足支えの近くに設けられ、管片の端部が背部分の近くに設けられている。接続ケーブルが管片に沿って電動機−伝動装置単位体から取付け具まで敷設されて固定されていることによって、椅子又は椅子輪郭内にケーブルを敷設するための付加的な取付け費用がもはや必要でなく、接続プラグを持つ導入ケーブルの出る端部が最初から座部分クッションの後端部の下に位置せしめられ、従ってそれ以上の取付け段階を必要とすることなしに、取付けのために直ちに接近可能である。【０００６】  接続ケーブルが管片内に案内され、かつこれに固定されているのがよい。【０００７】  この解決策では、接続ケーブルが管片内に案内され、かつこれに固定されているので、覆われる配置が得られる。取付け具から出て接続プラグを持つ端部のみが、接続部取付けのため接近可能である。【０００８】  少ない費用で非常に有利な配置のため、接続ケーブルが管片外に案内され、かつこれに固定され、案内部及び固定部が管片と共に間隙を形成し、この間隙内で調節往復片が自由に移動可能である。【０００９】  この場合接続ケーブルは管片外でこれに沿って案内され、調節往復片の運動のために十分な運動遊隙が利用可能であるように案内部が形成されている。【００１０】  接続ケーブルが、これに寸法を合わされるケーブル通路内に案内され、ケーブル通路が管片又は電動機−伝動装置単位体及び取付け具に固定されているのがよい。【００１１】  この配置により、ケーブルの保護が行われ、付加的な取付け補助手段が形成される。【００１２】  更に公知のように、駆動電動機が直流電動機として構成されている。【００１３】  本発明の対象は更に上述した種類の椅子用操作器であり、操作器が外部へ取出される接続ケーブルを持つ箱入り電動機−伝動装置単位体を持ち、駆動素子特に接続された管片内に設けられている駆動軸が、電動機−伝動装置単位体から突出して、管片上に案内される調節往復片に係合し、操作器に取付け手段が設けられ、操作器が遠い方にある管片の端部に、椅子部分に取付けるための取付け手段を持つ取付け具が設けられ、調節往復片が椅子の調節機構の部分に連結するための連結手段を持っている。【００１４】  前述した課題を解決するため本発明によれば、接続ケーブルが電動機−伝動装置単位体から取付け具へ管片に沿って敷設されかつ固定され、取付け具から出る端部が接続プラグを持っている。【００１５】  接続ケーブルが管片内に案内されてこれに固定されているのがよい。【００１６】  更に接続ケーブルが管片外に案内されてこれに固定され、案内部及び固定部が管片と共に間隙を形成し、この間隙内で調節往復片の部分が自由に移動可能であるのがよい。【００１７】  接続ケーブルがこれに寸法を合わされたケーブル通路内に案内され、ケーブル通路が管��又は電動機−伝動装置単位体及び／又は取付け具に固定されているようにすることもできる。【００１８】  公知のように、駆動電動機が直流電動機として構成されている。【００１９】  このような操作器は、特に最初に述べた種類の椅子に適し、この操作器の取付け方式は前述したように行われる。【００２０】  別の特徴は、駆動電動機又はこれを包囲するハウジングに、その外側から差込み過程又は接触過程のため接近可能なブシュが設けられて、電動機接続ケーブルに固定的に接続され、接続ケーブルが適当な接続部分をブシュに電気的又は機械的に結合可能である。操作器においても椅子においても、適当な構成を行うことができる。この場合電動機又は電動機ハウジングからのケーブル出口は、接続導体及び駆動電動機に接続されているブシュにより形成されている。外部への接続は、外部から接近可能な差込み接続の形で行われる。これにより、電動機に接続されるケーブルがハウジングから出て取付け具まで導かれるのではなく、なるべく外部で導かれる接続ケーブルが、一方の端部範囲をブシュへ接触して機械的に結合可能に差込まれ、接続ケーブルの他方の端部が接続プラグを持つようにすることができる。これにより全組立てが一層容易になる。なぜならば、電動機は、場合によってはこれを包囲するハウジングと共に電気配線を含めて完全に取付けることができ、続いて時間的に後の工程で、電動機へ至る接続ブシュと接続ケーブルとの接触を行うことができるからである。【００２１】  本発明の実施例が図面に示されており、以下に詳細に説明される。
【図面の簡単な説明】
【００２２】
【図１】  本発明による椅子を一部切欠かれた側面図で示す。
【図２】  本発明による操作器を側面図で示す。
【図３】  本発明による操作器を平面図で示す。
【発明を実施するための形態】
【００２３】  図１には、電動機により調節可能な部分、即ち調節可能な座部分２、調節可能な背部分３、外方揺動可能な足支え４を持つ椅子１が示され、椅子１は本体５及びこれに取付けられる枠部分６を持ち、この枠部分６に調節可能な部分の調節機構の部分が枢着及び／又は取付けられている。更に例えば枠部分６に電動操作器７が取付けられている。この操作器７は調節機構の部分に連結され、かつ伝動装置９を持つ駆動電動機８を持っている。電動機−伝動装置単位体８，９を包囲するハウジングから管片１０が突出し、この管片１０内に伝動装置９に伝動結合する駆動素子例えばねじ軸が覆われて設けられている。管片１０の外被上に調節往復片１１が案内されて、駆動素子により管片１０の長手方向に調節可能であり、従って駆動素子及び調節機構の部分に連結されている。例えばレバー１５が調節往復片１１に枢着されている。管片１０に沿う調節往復片１１の移動により、椅子の可動部分の適当な調節が可能である。特に図１からわかるように、電動機−伝動装置単位体８，９は、足支え４に近い方にある座部分２の前端部の下に設けられている。そこでなるべく枠部分６への取付けが行われる。電動機−伝動装置単位体８，９から遠い方にある管片１０の端部には、例えば枠部分６へ取付けるための取付け具１２が設けられ、この取付け具１２は、背部分３に近い方にある座部分２の後端部の下に設けられている。駆動電動機９に接続される電気接続ケーブル１３は、電線に接続するため外部にある接続プラグを備えている。本発明によれば、接続ケーブル１３は、電動機−伝動装置単位体８，９を包囲するハウジングから引出され、しかも管片１０に沿って電動機−伝動装置単位体から取付け具１２まで延びている。接続ケーブル１３は適当なやり方で敷設されて固定されている。取付け具１２から出る接続ケーブル１３の端部は接続プラグ１４を持っている。
【００２４】  図面に示されていない１つの可能性は、接続ケーブル１３を管片１０内に案内してこれに固定することである。図面に示されている好ましい実施例では、接続ケーブル１３が管片１０外に案内されて固定され、この案内部及び固定部は管片１０と共に間隙を形成し、この間隙内で調節往復片１１の部分が自由に可動である。これは図１においてよくわかる。
【００２５】  接続ケーブル１３がこのきつく合わされたケーブル通路内に案内され、ケーブル通路が管片又は電動機−伝動装置単位体のハウジング及び取付け具１２に固定されているのがよい。
【００２６】  本発明による配置及び取付け方式では、接続プラグ１４を椅子１の後部範囲において背部分３の少し下でつかむことができる。取付けの際、接続ケーブル１３は余分に敷設する必要がなく、電動機８、管片１０及び取付け具１２と共に取付け単位体を形成し、この取付け単位体は速やかにかつ簡単に取付け可能であり、続いて適当な電流及び／又は遠隔操作用の適当な導入線に接続可能である。従来必要であった費用のかかる取付けは、ここでは必要がない。
【００２７】  本発明は実施例に限定されず、開示の範囲内で多様に可変である。
【００２８】  明細書及び／又は図面に開示された個々の特徴及びその組合わせは本発明にとって重要とみなされる。
【図１】
2013184053.tif 000003
【図２】
2013184053.tif 000004
【図３】
2013184053.tif 000005